(57)【要約】【課題】簡単な操作で必要な医療情報のみを取得する。【解決手段】医療情報管理システム１００では、管理サーバ１０がユーザ毎に設定された医療情報の抽出条件を記憶し、診療端末３０においてユーザ認証が行われると、当該認証されたユーザに対応する抽出条件で医療情報ＤＢ１７から医療情報の抽出が行われる。抽出された医療情報は、管理サーバ１０から診療端末３０に送信され、診療端末３０において医療情報の表示項目が選択可能に表示される。ユーザにより表示したい医療情報の表示項目が選択されると、診療端末３０では、選択された表示項目の医療情報が表示される。【選択図】          図１
2004344314.tif 000002
【特許請求の範囲】
【請求項１】
医療情報データベースを備えた管理サーバと、前記管理サーバから医療情報を取得する診療端末と、が通信ネットワークを介して接続された医療情報管理システムにおいて、
前記管理サーバは、
ユーザ毎に設定された医療情報の抽出条件を記憶する記憶手段と、
前記診療端末からユーザの認証情報を受信すると、当該ユーザに対応する抽出条件に基づいて、前記医療データベースから医療情報を抽出する抽出手段と、
前記抽出された医療情報を前記診療端末に送信する通信手段と、を備え、
前記診療端末は、
ユーザの認証情報を入力する入力手段と、
前記入力された認証情報に基づいて、ユーザを認証する認証手段と、
前記認証手段によりユーザが認証された場合、前記管理サーバにユーザの認証情報とともに当該ユーザに対応する医療情報を要求する要求情報を送信し、当該管理サーバから送信された医療情報を受信する通信手段と、
前記受信された医療情報を表示する表示手段と、
を備えることを特徴とする医療情報管理システム。
【請求項２】
前記診療端末において、
前記表示手段は、前記管理サーバから受信された医療情報の表示項目を選択可能に表示し、
前記表示された医療情報の表示項目のうち、表示する医療情報の表示項目を選択する選択手段を備え、
前記表示手段は、前記選択された表示項目の医療情報を表示することを特徴とする請求項１に記載の医療情報管理システム。
【請求項３】
前記診療端末において、
前記入力手段は、検索条件を入力し、
前記通信手段は、前記入力された検索条件を前記管理サーバに送信し、
前記管理サーバにおいて、
前記診療端末から検索条件を受信すると、当該検出条件に基づいて前記医療情報データベースから医療情報を検索する検索手段を備え、
前記通信手段は、前記検索された医療情報を前記診療端末に送信することを特徴とする請求項１又は２に記載の医療情報管理システム。
【請求項４】
前記管理サーバにおいて、
新規の医療情報を前記医療情報データベースに格納する前に所定期間一時的に格納する更新情報データベースを備えることを特徴とする請求項１〜３の何れか一項に記載の医療情報管理システム。
【請求項５】
前記管理サーバにおいて、
前記抽出手段は、前記認証されたユーザに対応する抽出条件に基づいて、前記更新情報データベースから医療情報を抽出し、
前記通信手段は、前記抽出された医療情報を前記診療端末に送信することを特徴とする請求項４に記載の医療情報管理システム。
【請求項６】
前記管理サーバにおいて、
前記記憶手段は、ユーザ毎に設定された医療情報の抽出条件とともに、当該ユーザをグループ分類したグループ毎に設定された医療情報の抽出条件を記憶し、
前記抽出手段は、前記診療端末からユーザの認証情報を受信すると、当該ユーザに対応する抽出条件及び／又はユーザが属するグループに対応する抽出条件に基づいて、前記医療情報データベース及び更新情報データベースから医療情報を抽出することを特徴とする請求項４に記載の医療情報管理システム。
【請求項７】
医療情報データベースを備えた管理サーバと、前記管理サーバから医療情報を取得する診療端末と、が通信ネットワークを介して接続された医療情報管理システムにおける医療情報管理方法であって、
ユーザ毎に設定された医療情報の抽出条件を前記管理サーバの記憶手段に記憶する記憶工程と、
前記診療端末にユーザの認証情報を入力する工程と、
前記入力された認証情報に基づいて、ユーザを認証する工程と、
前記認証工程で認証されたユーザに対応する抽出条件に基づいて、前記医療データベースから医療情報を抽出する抽出工程と、
前記抽出された医療情報を診療端末の表示手段に表示する表示工程と、
を含むことを特徴とする医療情報管理方法。
【請求項８】
前記抽出された医療情報の表示項目を前記診療端末の表示手段に選択可能に表示する工程と、
前記表示された医療情報の表示項目のうち、表示する医療情報の表示項目を選択する工程と、を含み、
前記表示工程では、前記選択された表示項目の医療情報を前記診療端末の表示手段に表示することを特徴とする請求項７に記載の医療情報管理方法。
【請求項９】
前記診療端末に検索条件を入力する工程と、
前記入力された検出条件に基づいて前記医療情報データベースから医療情報を検索する工程と、
前記検索された医療情報を前記診療端末の表示手段に表示する工程と、
を含むことを特徴とする請求項７又は８に記載の医療情報管理方法。
【請求項１０】
前記管理サーバが、新規の医療情報を前記医療情報データベースに格納する前に所定期間一時的に格納する更新情報データベースを備えることを特徴とする請求項７〜９の何れか一項に記載の医療情報管理方法。
【請求項１１】
前記抽出工程では、前記認証されたユーザに対応する抽出条件に基づいて、前記更新情報データベースから医療情報を抽出することを特徴とする請求項１０に記載の医療情報管理方法。
【請求項１２】
前記記憶工程では、ユーザ毎に設定された医療情報の抽出条件とともに、当該ユーザをグループ分類したグループ毎に設定された医療情報の抽出条件を前記記憶手段に記憶し、
前記抽出工程では、前記診療端末からユーザの認証情報を受信すると、当該ユーザに対応する抽出条件及び／又はユーザが属するグループに対応する抽出条件に基づいて、前記医療情報データベース及び更新情報データベースから医療情報を抽出することを特徴とする請求項１０に記載の医療情報管理方法。
【発明の詳細な説明】
【０００１】
【発明の属する技術分野】
本発明は、医療情報データベースを備えた管理サーバにより医療情報を管理し、各診療端末へ医療情報を提供する医療情報管理システム及び医療情報管理方法に関する。
【０００２】
【従来の技術】
医療の分野では、患者を撮影した医用画像のデジタル化が実現されており、病院等の医療機関では、ＣＲ（Ｃｏｍｐｕｔｅｄ  Ｒａｄｉｏｇｒａｐｈｙ）装置、ＣＴ（Ｃｏｍｐｕｔｅｄ  Ｔｏｍｏｇｒａｐｈｙ）、ＭＲＩ（Ｍａｇｎｅｔｉｃ  Ｒｅｓｏｎａｎｃｅ  Ｉｍａｇｉｎｇ）等の各種モダリティにより生成されたデジタル医用画像データを管理サーバで一括管理し、各診療科に設置されている端末装置から医用画像データを取得することができる管理システムが構築されている（例えば、特許文献１参照）。
【０００３】
上記管理システムでは、医用画像だけではなく、患者に関する情報や検査情報、カルテや症例等の病理情報、レポート（診断結果情報）等、様々な医療情報が管理サーバにおいて管理されている。医師は、診断や研究に必要な医療情報を参照したい場合には、所属科に設置されている診療端末から管理サーバにアクセスして情報要求を行い、管理サーバが管理している各種医療情報の中から必要な情報を検索して取得していた。
【０００４】
【特許文献１】
特開平７−１７５８７４号公報
【０００５】
【発明が解決しようとする課題】
しかしながら、従来の管理システムでは、診療端末から管理サーバに情報要求し、管理サーバから医療情報のデータへのアクセスの承認を得た後に検索に入る等、管理サーバと診療端末との間でいくつかの通信段階を経なければならず、操作手順が煩雑であった。また、管理サーバが管理する膨大な情報の中から必要な情報を検索しなければならいため検索時間を要し、医師の作業効率が悪かった。
【０００６】
本発明の課題は、簡単な操作で必要な医療情報のみを取得することができる医療情報管理システムを提供することである。
【０００７】
【課題を解決するための手段】
請求項１に記載の発明は、
医療情報データベースを備えた管理サーバと、前記管理サーバから医療情報を取得する診療端末と、が通信ネットワークを介して接続された医療情報管理システムにおいて、
前記管理サーバは、
ユーザ毎に設定された医療情報の抽出条件を記憶する記憶手段と、
前記診療端末からユーザの認証情報を受信すると、当該ユーザに対応する抽出条件に基づいて、前記医療データベースから医療情報を抽出する抽出手段と、
前記抽出された医療情報を前記診療端末に送信する通信手段と、を備え、
前記診療端末は、
ユーザの認証情報を入力する入力手段と、
前記入力された認証情報に基づいて、ユーザを認証する認証手段と、
前記認証手段によりユーザが認証された場合、前記管理サーバにユーザの認証情報とともに当該ユーザに対応する医療情報を要求する要求情報を送信し、当該管理サーバから送信された医療情報を受信する通信手段と、
前記受信された医療情報を表示する表示手段と、
を備えることを特徴とする。
【０００８】
請求項７に記載の発明は、
医療情報データベースを備えた管理サーバと、前記管理サーバから医療情報を取得する診療端末と、が通信ネットワークを介して接続された医療情報管理システムにおける医療情報管理方法であって、
ユーザ毎に設定された医療情報の抽出条件を前記管理サーバの記憶手段に記憶する記憶工程と、
前記診療端末にユーザの認証情報を入力する工程と、
前記入力された認証情報に基づいて、ユーザを認証する工程と、
前記認証工程で認証されたユーザに対応する抽出条件に基づいて、前記医療データベースから医療情報を抽出する抽出工程と、
前記抽出された医療情報を診療端末の表示手段に表示する表示工程と、
を含むことを特徴とする。
【０００９】
請求項１、７に記載の発明によれば、ユーザ毎に医療情報を抽出する抽出条件を記憶し、ユーザの認証情報を用いて認証されたユーザに対応する抽出条件で医療情報を抽出し、診療端末において表示するので、予めユーザ毎に必要とする医療情報の抽出条件を設定しておくことにより、ユーザの認証情報を入力する簡単な操作でユーザが必要とする医療情報のみを提供することができ、読影や診断等の医療活動における作業効率を向上させることができる。さらに、ユーザが所望の医療情報を医療情報データベースから検索する作業を省略することができ、ユーザの作業負担を軽減させることができる。
【００１０】
請求項２に記載の発明は、請求項１に記載の医療情報管理システムにおいて、前記診療端末において、
前記表示手段は、前記管理サーバから受信された医療情報の表示項目を選択可能に表示し、
前記表示された医療情報の表示項目のうち、表示する医療情報の表示項目を選択する選択手段を備え、
前記表示手段は、前記選択された表示項目の医療情報を表示することを特徴とする。
【００１１】
請求項８に記載の発明は、請求項７に記載の医療情報管理方法において、
前記抽出された医療情報の表示項目を前記診療端末の表示手段に選択可能に表示する工程と、
前記表示された医療情報の表示項目のうち、表示する医療情報の表示項目を選択する工程と、を含み、
前記表示工程では、前記選択された表示項目の医療情報を前記診療端末の表示手段に表示することを特徴とする。
【００１２】
請求項２、８に記載の発明によれば、医療情報を表示する際には、医療情報の表示項目を選択可能に表示し、選択された表示項目の医療情報を表示するので、表示画面上においても、ユーザが必要とする医療情報のみを提供することができる。
【００１３】
請求項３に記載の発明は、請求項１又は２に記載の医療情報管理システムにおいて、
前記診療端末において、
前記入力手段は、検索条件を入力し、
前記通信手段は、前記入力された検索条件を前記管理サーバに送信し、
前記管理サーバにおいて、
前記診療端末から検索条件を受信すると、当該検出条件に基づいて前記医療情報データベースから医療情報を検索する検索手段を備え、
前記通信手段は、前記検索された医療情報を前記診療端末に送信することを特徴とする。
【００１４】
請求項９に記載の発明は、請求項７又は８に記載の医療情報管理方法において、
前記診療端末に検索条件を入力する工程と、
前記入力された検出条件に基づいて前記医療情報データベースから医療情報を検索する工程と、
前記検索された医療情報を前記診療端末の表示手段に表示する工程と、
を含むことを特徴とする。
【００１５】
請求項３、９に記載の発明によれば、入力された検索条件に基づいて医療情報を検索し、検索された医療情報を表示するので、抽出条件に対応しない医療情報を所望する場合には検索条件を入力することにより、所望の医療情報を検索することができる。
【００１６】
請求項４に記載の発明は、請求項１〜３の何れか一項に記載の医療情報管理システムにおいて、
前記管理サーバにおいて、
新規の医療情報を前記医療情報データベースに格納する前に所定期間一時的に格納する更新情報データベースを備えることを特徴とする。
【００１７】
請求項１０に記載の発明は、請求項７〜９の何れか一項に記載の医療情報管理方法において、
前記管理サーバが、新規の医療情報を前記医療情報データベースに格納する前に所定期間一時的に格納する更新情報データベースを備えることを特徴とする。
【００１８】
請求項４、１０に記載の発明によれば、新規の医療情報を医療情報データベースに格納する前に、一時的に更新情報データベースに格納するので、医療情報の更新を円滑に行うことが可能となる。
【００１９】
請求項５に記載の発明は、請求項４に記載の医療情報管理システムにおいて、
前記管理サーバにおいて、
前記抽出手段は、前記認証されたユーザに対応する抽出条件に基づいて、前記更新情報データベースから医療情報を抽出し、
前記通信手段は、前記抽出された医療情報を前記診療端末に送信することを特徴とする。
【００２０】
請求項１１に記載の発明は、請求項１０に記載の医療情報管理方法において、
前記抽出工程では、前記認証されたユーザに対応する抽出条件に基づいて、前記更新情報データベースから医療情報を抽出することを特徴とする。
【００２１】
請求項５、１１に記載の発明によれば、抽出条件に基づいて更新情報データベースからも医療情報を抽出するので、新規の医療情報も提供することが可能となる。
【００２２】
請求項６に記載の発明は、請求項４に記載の医療情報管理システムにおいて、
前記管理サーバにおいて、
前記記憶手段は、ユーザ毎に設定された医療情報の抽出条件とともに、当該ユーザをグループ分類したグループ毎に設定された医療情報の抽出条件を記憶し、
前記抽出手段は、前記診療端末からユーザの認証情報を受信すると、当該ユーザに対応する抽出条件及び／又はユーザが属するグループに対応する抽出条件に基づいて、前記医療情報データベース及び更新情報データベースから医療情報を抽出することを特徴とする。
【００２３】
請求項１２に記載の発明は、請求項１０に記載の医療情報管理方法において、
前記記憶工程では、ユーザ毎に設定された医療情報の抽出条件とともに、当該ユーザをグループ分類したグループ毎に設定された医療情報の抽出条件を前記記憶手段に記憶し、
前記抽出工程では、前記診療端末からユーザの認証情報を受信すると、当該ユーザに対応する抽出条件及び／又はユーザが属するグループに対応する抽出条件に基づいて、前記医療情報データベース及び更新情報データベースから医療情報を抽出することを特徴とする。
【００２４】
請求項６、１２に記載の発明によれば、ユーザ毎及びグループ毎に抽出条件を記憶し、ユーザに対応する抽出条件及び／又はユーザが属するグループに対応する抽出条件に基づいて医療情報を抽出するので、ユーザ単位で医療情報を提供することもできるし、グループ単位で医療情報を提供してグループ内で情報を共有化することも可能となる。また、医療情報は、医療情報データベース及び更新情報データベースから抽出されるので、従来の医療情報に加えて新規の医療情報も提供することができる。
【００２５】
【発明の実施の形態】
以下、図を参照して本発明の実施の形態を詳細に説明する。
本実施の形態では、管理サーバにおいてユーザ毎に医療情報データベースから医療情報を抽出する条件を予め設定しておき、診療端末においてユーザ認証を行って、この認証されたユーザに対応する抽出条件で管理サーバにおいて医療情報を医療データベースから抽出し、当該抽出された医療情報を診療端末の表示手段に表示する例を説明する。
【００２６】
まず、構成を説明する。
図１に、本実施の形態における医療情報管理システム１００のシステム構成を示す。
図１に示すように、医療情報管理システム１００は、管理サーバ１０と、診療端末３０とが通信ネットワークＮを介して相互に情報の送受信が可能に接続されている。なお、図１では、１台の管理サーバと、３台の診療端末とが接続された例を示したが、その設置台数及び設置場所は特に限定しない。
【００２７】
管理サーバ１０は、医療情報データベースを備えて、医療情報を一元的に管理するものであり、診療端末３０からの要求に応じて当該医療情報を診療端末３０に提供する。
【００２８】
図２に、管理サーバ１０の機能的構成を示す。
図２に示すように、管理サーバ１０は、制御部１１、入力部１２、表示部１３、通信部１４、ＲＡＭ（Ｒａｎｄｏｍ  Ａｃｃｅｓｓ  Ｍｅｍｏｒｙ）１５、記憶部１６、医療情報データベース（以下、ＤＢ；Ｄａｔａ  Ｂａｓｅという。）１７、更新情報ＤＢ１８を備えて構成される。
【００２９】
制御部１１は、ＣＰＵ（Ｃｅｎｔｒａｌ  Ｐｒｏｃｅｓｓｉｎｇ  Ｕｎｉｔ）等から構成され、記憶部１６に格納されるシステムプログラムの他、本発明に係る医療情報提供処理プログラム（図６参照）等をＲＡＭ１５に展開して、当該プログラムとの協働により処理動作を統括的に制御する。
【００３０】
制御部１１は、医療情報提供処理において、通信部１４を介して診療端末３０からユーザの認証情報及び医療情報の要求情報を受信すると、当該ユーザに対応する抽出条件に基づいて医療情報ＤＢ１７及び更新情報ＤＢ１８から医療情報を抽出する。また、通信部１４を介して診療端末３０から検索条件及び医療情報の要求情報を受信すると、当該検索条件に基づいて医療情報ＤＢ１７及び更新情報ＤＢ１８から医療情報を検索する。すなわち、制御部１１により抽出手段、検索手段を実現することができる。
【００３１】
入力部１２は、数字キー、文字キー、各種機能キーから構成されるキーボードやマウス等のポインティングディバイスを備え、操作されたキーに対応する操作信号を制御部１１に出力する。
【００３２】
表示部１３は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）等を備えて構成され、各種操作画面や制御部１１による処理結果等の各種表示情報を表示する。
【００３３】
通信部１４は、ネットワークインターフェイス（以下、ＮＩＣ；Ｎｅｔｗｏｒｋ  Ｉｎｔｅｒｆａｃｅ  Ｃａｒｄという。）やモデム等の通信用のインターフェイスを備えて通信手段を実現し、通信ネットワークＮ上の外部機器と相互に情報の送受信を行う。例えば、診療端末３０からユーザの認証情報とともに医療情報の要求情報を受信するとともに、当該診療端末３０にユーザに対応する医療情報を送信する。
【００３４】
ＲＡＭ１５は、制御部１１によって実行される各種プログラム及びこれらプログラムに係るデータを一時的に記憶するワークエリアを形成する。
【００３５】
記憶部１６は、磁気的又は光学的記憶媒体、若しくは半導体メモリで構成され、システムプログラムの他、医療情報提供処理プログラム及び各プログラムで処理されたデータ等を記憶する。
【００３６】
また、記憶部１６は、抽出条件を記憶する記憶手段であり、ユーザ毎に医療情報ＤＢ１７又は更新情報ＤＢ１８から医療情報を抽出する条件を更新可能に設定した抽出条件テーブル１６ａを内部に格納する。
【００３７】
抽出条件テーブル１６ａには、図３に示すように、ユーザ、つまり医師毎に設定された抽出条件の情報が格納されている。抽出条件には、患者情報の抽出条件（例えば、“外科に所属の患者”等）、検査情報の抽出条件（例えば、“ＣＲの検査のみ”、“胸部検査のみ”等）、画像情報の抽出条件（例えば、“ＣＲの撮影画像は最大５枚まで”等）、レポート情報の抽出条件（例えば、“過去２検査分”等）、抽出範囲（例えば、“当日分”等）、救急情報の抽出条件（例えば、“ＯＮ”、“ＯＦＦ”が格納される。ＯＮの場合、救急患者の検査情報が抽出される一方、ＯＦＦの場合、救急患者の検査情報は抽出されない）、運用管理情報の抽出条件（例えば、“外科に関する施設情報”等）が含まれる。
【００３８】
なお、図３に示した抽出条件はその一例であり、抽出条件は医療施設の運用状況に応じて適宜設定可能である。
【００３９】
医療情報ＤＢ１７は、ＨＤＤ等の大容量メモリに構築され、図４にそのデータ構成例を示すように、患者情報、検査情報、画像情報、レポート情報が対応付けて格納されるとともに、医療施設の運用管理情報等が格納される。患者情報には、患者ＩＤ、患者氏名、性別、生年月日、年齢、患者の所属科等が含まれ、検査情報には、検査ＩＤ、検査部位、検査に使用したモダリティ、検査の依頼科、検査部位、検査名称、検査日等が含まれる。画像情報には、ＣＲ、ＣＴ、ＭＲＩ等の各モダリティで撮影された医用画像のイメージデータファイル等が含まれ、レポート情報には、読影医が検査に対する所見や診断結果等をまとめたレポートのテキストデータファイル等が含まれる。
【００４０】
運用管理情報には、救急患者情報、医療施設の施設情報、読影医情報等の各種情報が含まれる。救急患者情報には、救急患者に対して割り当てられている患者ＩＤ等が含まれ、施設情報には、施設名称、施設内に設置された診療科の名称等が含まれる。また、読影医情報には、施設に所属する読影医に関する情報や医師毎にカスタマイズ設定した設定情報等が含まれる。
【００４１】
なお、上述した医療情報はその一例を挙げたものであり、医療警告情報や病理情報等、他の医療情報を取り扱うこととしてもよい。
【００４２】
更新情報ＤＢ１８は、新規の医療情報を医療情報ＤＢ１７に格納する前に所定期間だけ一時的に格納するＤＢであり、そのデータ構成は医療情報ＤＢ１７と同様であるので、図示及び説明を省略する。まず、管理サーバ１０に新規の医療情報が入力されると、この更新情報ＤＢ１８に医療情報が格納される。そして、更新情報ＤＢ１８に格納されてから所定期間が経過すると医療情報ＤＢ１９に移され更新記憶される。
【００４３】
次に、診療端末３０について説明する。
診療端末３０は、各診療科に設置される端末装置であり、管理サーバから医療情報を取得して表示する。
【００４４】
図５に、診療端末３０の機能的構成を示す。
図５に示すように、診療端末３０は、制御部３１、入力部３２、表示部３３、通信部３４、ＲＡＭ３５、記憶部３６を備えて構成される。
【００４５】
制御部３１は、ＣＰＵ等から構成され、記憶部３６に格納されるシステムプログラムの他、本発明に係る医療情報提供処理プログラム（図６参照）等をＲＡＭ３５に展開して、当該プログラムとの協働により処理動作を統括的に制御する。
【００４６】
制御部３１は、医療情報提供処理において、入力部３２を介してユーザの認証情報を入力されると、当該認証情報を予め登録されている認証情報と照合することによりユーザの認証を行う。すなわち、制御部３１により認証手段を実現することができる。
【００４７】
入力部３２は、ユーザＩＤやパスワード等のユーザの認証情報を入力するためのキーボードや、表示部３３と一体型に構成されたタッチパネル、マウスなどのポインティングディバイス等を備え、操作されたキーに対応する操作信号を制御部３１に出力する。すなわち、入力部３２を介して入力操作又は選択操作を行うことにより、入力手段及び選択手段を実現することができる。
【００４８】
表示部３３は、ＬＣＤやＣＲＴから構成され、各種操作画面や制御部３１による処理結果等の各種表示情報を表示する。すなわち、管理サーバから取得された医療情報を表示部１３に表示することにより表示手段を実現することができる。
【００４９】
通信部３４は、ＮＩＣやモデム等の通信用のインターフェイスを備えて通信手段を実現し、通信ネットワークＮ上の外部機器と相互に情報の送受信を行う。例えば、管理サーバ１０にユーザの認証情報とともに医療情報を要求する要求情報を送信し、管理サーバからユーザに対応する医療情報を受信する。
【００５０】
ＲＡＭ３５は、制御部３１によって実行される各種プログラム及びこれらプログラムに係るデータを一時的に記憶するワークエリアを形成する。
【００５１】
記憶部３６は、磁気的又は光学的記憶媒体、若しくは半導体メモリで構成され、システムプログラムの他、医療情報提供処理プログラム及び各プログラムで処理されたデータ等を記憶する。
【００５２】
次に、本実施の形態における動作を説明する。
図６は、医療情報管理システム１００により実行される医療情報提供処理を示すフローチャートである。
【００５３】
図６に示す医療情報提供処理では、まず診療端末１０において、ユーザのログイン操作が待機され、ログイン操作されたか否かが判別される（ステップＳ１）。ログイン操作されると（ステップＳ１；Ｙ）、パスワードやユーザＩＤ等のユーザの認証情報を入力するための入力画面（図示せず）が表示部３３に表示される。この入力画面において、ユーザにより入力部３２を介して認証情報が入力されると（ステップＳ２）、当該入力された認証情報に基づいて、ユーザの認証が行われる。
【００５４】
次いで、ステップＳ３では、ユーザが認証されたか否かが判別され、ユーザ認証されなかった場合（ステップＳ３；Ｎ）、ユーザ認証されなかったことを通知する認証エラーメッセージが表示部３３に表示される（ステップＳ４）。認証エラー表示後は、ステップＳ１に戻りユーザが認証されるまで認証情報の入力が繰り返される。
【００５５】
一方、ユーザが認証された場合（ステップＳ３；Ｙ）、診療端末３０では入力されたユーザの認証情報とともに医療情報を要求する要求情報が管理サーバ１０に送信される（ステップＳ５）。
【００５６】
管理サーバ１０では、ユーザの認証情報及び医療情報の要求情報が診療端末３０から受信されると、当該受信された認証情報のユーザに対応する抽出条件が抽出条件テーブル１６ａから読み出され、当該抽出条件に基づいて医療情報ＤＢ１７から医療情報が抽出される（ステップＳ６）。例えば、ユーザが“鈴木次郎”であった場合、図４に示す抽出条件テーブル１６ａから“鈴木次郎”に対応する抽出条件が読み出され、当該抽出条件に基づいて、外科に所属する患者の患者情報、当該患者の検査情報で、かつＣＲの検査情報、ＣＲで撮影された画像のうち最大５枚までの画像情報、過去２検査分のレポート情報、救急患者情報、外科に関する施設情報等の各種医療情報が直近２日分だけ医療情報ＤＢ１７から抽出される。
【００５７】
同様に、ステップＳ７では、ユーザに対応する抽出条件で更新情報ＤＢ１８から医療情報が抽出される。そして、各ＤＢから抽出された医療情報は通信部１４を介して診療端末３０に送信される（ステップＳ８）。
【００５８】
診療端末３０では、管理サーバ１０から医療情報が受信されると、当該受信された医療情報の表示項目が選択可能に表示される（ステップＳ９）。図７に、その表示例を示す。
図７は、医療情報の表示項目が選択可能に表示された情報画面３３１を示す図である。情報画面３３１では、画面上部に認証されたユーザの氏名ａ１が表示され、その下部に管理サーバ１０から受信された医療情報の表示項目が表示されている。例えば、昨日検査分の医療情報の表示項目ａ２、未読影検査分の医療情報の表示項目ａ３、読影済み検査分の医療情報の表示項目ａ４、救急患者に関する医療情報の表示項目ａ５、レポートの承認待ちをしている患者の医療情報の表示項目ａ６、検診が予定されている患者の医療情報の表示項目ａ７等である。
【００５９】
また、画面下部には、抽出条件の変更設定を指示するための条件設定キーｋ１、画像情報の読影画面への移行を指示するための読影画面キーｋ２、レポート情報の表示画面への移行を指示するためのレポート画面キーｋ３、レポート作成処理への移行を指示するためのレポート作成キーｋ４、患者情報の詳細確認を指示するための患者詳細キーｋ５、医療情報のキーワード検索を指示するための検索キーｋ６が表示される。
【００６０】
なかでも、上記条件設定キーｋ１が押下されると、抽出条件の設定を変更する変更画面（図示せず）が表示部３３に表示され、抽出条件を追加したり削除したりすることができる。また、検索キーｋ６が押下されると、医療情報の検索キーワード（検索条件）を入力するための入力画面（図示せず）が表示部３３に表示される。この入力画面において検索キーワードを入力すると、当該検索キーワードとともに医療情報の要求情報が管理サーバ１０に送信され、管理サーバ１０から検索キーワードに応じた医療情報を取得することが可能である。
【００６１】
診療端末３０では、上記情報画面３３１において医療情報の表示項目の選択が待機され、表示項目が選択されたか否かが判別される（ステップＳ１０）。ユーザにより入力部３２を介して表示項目が選択されると（ステップＳ１０；Ｙ）、選択された表示項目の医療情報が表示部３３に表示され（ステップＳ１１）、本処理を終了する。
【００６２】
例えば、図７に示す情報画面３３１において、未読影検査分の医療情報の表示項目ａ３が選択されると、図８に示すように未読影の各患者の患者情報が表示項目ｂ１〜ｂ７として選択可能に表示され、さらにその患者の表示項目の中から任意の患者の表示項目を選択すると、当該選択された患者の検査情報ｃ１〜ｃ３が表示される。つまり、各医療情報が階層構造で表示される。
【００６３】
一方、管理サーバ１０では、抽出された医療情報を診療端末３０に送信後、一定時間が経過したか否かが判別され（ステップＳ１２）、一定時間が経過した場合は（ステップＳ１２；Ｙ）、ステップＳ７に戻って再度ユーザに対応する抽出条件で更新情報ＤＢ１８から医療情報の抽出が行われ、抽出された医療情報が診療端末３０に送信される。一定時間が経過していない場合は（ステップＳ１２；Ｎ）、本処理を終了する。
【００６４】
以上のように、管理サーバ１０においてユーザ（医師）毎に医療情報を抽出する抽出条件を記憶しておき、診療端末３０においてログイン時に認証されたユーザに対応する抽出条件で医療情報ＤＢ１７から医療情報を抽出し、診療端末３０において抽出された医療情報を表示するので、診療端末３０へのログインと同時にログインした医師が必要とする医療情報のみを提供することができ、読影や診断等の医療活動における作業効率を向上させることができる。医師は、所属している診療科や医療活動の内容により、必要とする医療情報の種類が固定される場合が多いので、予め必要な医療情報を抽出できる条件を設定しておくことにより、簡単な操作で迅速に必要とする医療情報のみを取得することができる。
【００６５】
さらに、医師が必要とする医療情報を検索する作業、例えば検索条件のキー入力操作等の煩わしい作業を省略することができ、医師の作業負担を軽減させることができる。
【００６６】
また、診療端末３０において医療情報を表示する際には、まず管理サーバから受信された医療情報の表示項目を選択可能に表示し、これらの表示項目のうち、選択された表示項目の医療情報を表示するので、表示画面上においても医師が必要とする医療情報のみを提供することができる。
【００６７】
また、管理サーバ１０において、医療情報ＤＢ１７とは別に、新規の医療情報を医療情報ＤＢ１７に格納する前に所定期間だけ一時的に格納する更新情報ＤＢ１８を備えたので、医療情報の更新を円滑に行うことができる。また、一定時間毎にユーザに対応する抽出条件で更新情報ＤＢ１８から医療情報を抽出し、診療端末３０に送信するので、常に新規の医療情報を診療端末３０において確認することができる。
【００６８】
なお、本実施の形態における記述内容は、本発明を適用した医療情報管理システム１００の好適な一例であり、これに限定されるものではない。
【００６９】
例えば、上述した説明では、ユーザ毎に抽出条件を設定したが、ユーザをグループ分類し、このグループ毎に抽出条件を設定することとしてもよい。これにより、個人に必要な医療情報だけではなく個人が属するグループ単位で必要な情報を共有化することができ、より効率的な医療活動を行うことができる。
【００７０】
例えば、図９に示すように、外科、内科等のユーザが所属する診療科毎にユーザをグループ分類し、当該グループ毎及びユーザ毎に抽出条件を設定した抽出条件テーブルを管理サーバ側で備える。図９に示すように抽出条件テーブルでは、患者情報や検査情報等の全グループで共通の抽出条件と、グループ毎或いはユーザ毎の抽出条件とが設定される。ユーザは複数グループに所属することとしてもよく、その場合、所属するグループ毎に抽出条件を設定することができる。図９に示す例では、ユーザ“鈴木次郎”は、外科及び内科に所属するため、外科、内科の両グループの抽出条件テーブルに登録されており、各グループに応じた抽出条件が設定されている。
【００７１】
医療情報を取得する際には、診療端末においてユーザの認証情報を入力することで、管理サーバにおいてユーザが所属する外科のグループに対応する抽出条件で医療情報ＤＢ１７、更新情報ＤＢ１８から医療情報が抽出され、診療端末において表示される。
【００７２】
複数グループに所属している場合は、ユーザが所属する全てのグループに対応する医療情報が管理サーバから診療端末に送信され、診療端末において医療情報を表示する際に、外科グループに対応する医療情報の表示項目、内科グループに対応する医療情報の表示項目を選択可能に表示して、どのグループの医療情報を表示するかをユーザに選択させる。
或いは、医療情報を表示する際に、外科に共通の認証情報（例えば、外科のグループＩＤである“Ｇ１”等）又は内科に共通の認証情報のどちらかを入力させ、入力された方のグループに対応する医療情報を表示することとしてもよいし、各グループの認証情報を使わずに、グループ名称を選択可能に表示して選択させることとしてもよい。
【００７３】
なお、グループ分類は、上述したように医師が所属する診療科に限らず、医療活動の運用形態に応じて適宜グループ分類すればよい。例えば、図１０に示すように、医師が診療対象とする部位毎にグループ分類することとしてもよい。この場合も同様に、同一ユーザが複数グループに所属することが可能であり、グループ毎に抽出条件を設定することができる。
【００７４】
その他、本実施の形態における医療情報管理システム１００の細部構成及び細部動作に関しても、本発明の趣旨を逸脱することのない範囲で適宜変更可能である。
【００７５】
【発明の効果】
請求項１、７に記載の発明によれば、ユーザ毎に医療情報を抽出する抽出条件を記憶し、ユーザの認証情報を用いて認証されたユーザに対応する抽出条件で医療情報を抽出し、診療端末において表示するので、予めユーザ毎に必要とする医療情報の抽出条件を設定しておくことにより、ユーザの認証情報を入力する簡単な操作でユーザが必要とする医療情報のみを提供することができ、読影や診断等の医療活動における作業効率を向上させることができる。さらに、ユーザが所望の医療情報を医療情報データベースから検索する作業を省略することができ、ユーザの作業負担を軽減させることができる。
【００７６】
請求項２、８に記載の発明によれば、医療情報を表示する際には、医療情報の表示項目を選択可能に表示し、選択された表示項目の医療情報を表示するので、表示画面上においても、ユーザが必要とする医療情報のみを提供することができる。
【００７７】
請求項３、９に記載の発明によれば、入力された検索条件に基づいて医療情報を検索し、検索された医療情報を表示するので、抽出条件に対応しない医療情報を所望する場合には検索条件を入力することにより、所望の医療情報を検索することができる。
【００７８】
請求項４、１０に記載の発明によれば、新規の医療情報を医療情報データベースに格納する前に、一時的に更新情報データベースに格納するので、医療情報の更新を円滑に行うことが可能となる。
【００７９】
請求項５、１１に記載の発明によれば、抽出条件に基づいて更新情報データベースからも医療情報を抽出するので、新規の医療情報も提供することが可能となる。
【００８０】
請求項６、１２に記載の発明によれば、ユーザ毎及びグループ毎に抽出条件を記憶し、ユーザに対応する抽出条件及び／又はユーザが属するグループに対応する抽出条件に基づいて医療情報を抽出するので、ユーザ単位で医療情報を提供することもできるし、グループ単位で医療情報を提供してグループ内で情報を共有化することも可能となる。また、医療情報は、医療情報データベース及び更新情報データベースから抽出されるので、従来の医療情報に加えて新規の医療情報も提供することができる。
【図面の簡単な説明】
【図１】本発明を適用した実施の形態の医療情報管理システム１００のシステム構成を示す図である。
【図２】管理サーバ１０の機能的構成を示す図である。
【図３】抽出条件テーブル１６ａのデータ構成例を示す図である。
【図４】医療情報ＤＢ１７のデータ構成例を示す図である。
【図５】診療端末３０の機能的構成を示す図である。
【図６】医療情報管理システム１００により実行される医療情報提供処理を説明するフローチャートである。
【図７】ユーザに対応する抽出条件で抽出された医療情報の表示項目が表示された画面例を示す図である。
【図８】選択された表示項目の医療情報が表示された画面例を示す図である。
【図９】診療科のグループ毎及びユーザ毎に抽出条件を設定した抽出条件テーブル例を示す図である。
【図１０】診療対象とする部位のグループ毎及びユーザ毎に抽出条件を設定した抽出条件テーブル例を示す図である。
【符号の説明】
１００    医療情報管理システム
１０    管理サーバ
１１    制御部
１２    入力部
１３    表示部
１４    通信部
１５    ＲＡＭ
１６    記憶部
１６ａ    抽出条件テーブル
１７    医療情報ＤＢ
１８    更新情報ＤＢ
【図１】
2004344314.tif 000003
【図２】
2004344314.tif 000004
【図３】
2004344314.tif 000005
【図４】
2004344314.tif 000006
【図５】
2004344314.tif 000007
【図６】
2004344314.tif 000008
【図７】
2004344314.tif 000009
【図８】
2004344314.tif 000010
【図９】
2004344314.tif 000011
【図１０】
2004344314.tif 000012